(57)【要約】【課題】撮影プロトコルの共有を行う複数の放射線撮影装置の間において、他の放射線撮影装置の他の撮影プロトコルの特性情報と、格納されている撮影プロトコルの特性情報との関連付けに基づいて登録を制御すること。【解決手段】放射線撮影を行う複数の放射線撮影装置を有する放射線撮影システムであって、放射線撮影装置は、放射線撮影を制御するための特性情報を含む撮影プロトコルを格納するプロトコル格納部と、他の放射線撮影装置の他の撮影プロトコルの特性情報と、格納されている撮影プロトコルの特性情報との関連付けを行う関連付け部と、プロトコル格納部に対する他の撮影プロトコルの特性情報の登録を、関連付けに基づいて制御する読込制御部と、を備える。【選択図】  図２
2019097677.tif 000002
【特許請求の範囲】
【請求項１】
放射線撮影を行う複数の放射線撮影装置を有する放射線撮影システムであって、前記放射線撮影装置は、
前記放射線撮影を制御するための特性情報を含む撮影プロトコルを格納するプロトコル格納手段と、
他の放射線撮影装置の他の撮影プロトコルの特性情報と、前記格納されている前記撮影プロトコルの特性情報との関連付けを行う関連付け手段と、
前記プロトコル格納手段に対する前記他の撮影プロトコルの特性情報の登録を、前記関連付けに基づいて制御する読込制御手段と、
を備えることを特徴とする放射線撮影システム。
【請求項２】
前記読込制御手段は、前記関連付けに基づいて、前記撮影プロトコルの特性情報と、前記他の撮影プロトコルの特性情報との比較を行い、前記比較の結果に基づいて、前記登録の制御を行うことを特徴とする請求項１に記載の放射線撮影システム。
【請求項３】
前記読込制御手段は、
前記プロトコル格納手段に格納されている撮影プロトコルを削除し、
前記関連付けに基づいて、前記プロトコル格納手段に格納されていた前記撮影プロトコルの特性情報を、前記他の撮影プロトコルの特性情報で置き換えた撮影プロトコルを前記プロトコル格納手段に格納することを特徴とする請求項１または２に記載の放射線撮影システム。
【請求項４】
前記複数の放射線撮影装置の間で撮影プロトコルの送受信を行うために、前記プロトコル格納手段に格納されている撮影プロトコルを格納するデータ格納手段を更に備えることを特徴とする請求項１乃至３のいずれか１項に記載の放射線撮影システム。
【請求項５】
前記読込制御手段は、
前記他の放射線撮影装置の前記データ格納手段に格納されている前記撮影プロトコルを、前記他の放射線撮影装置の他の撮影プロトコルとして取得し、
前記関連付け手段は、前記取得した撮影プロトコルに基づいて、前記関連付けを行うことを特徴とする請求項４に記載の放射線撮影システム。
【請求項６】
前記関連付け手段は、前記関連付けを行うための関連付け画面を表示手段に表示させる表示制御を行うことを特徴とする請求項１乃至５のいずれか１項に記載の放射線撮影システム。
【請求項７】
前記プロトコル格納手段に格納されている撮影プロトコルを出力するプロトコル出力手段を更に備え、
前記プロトコル出力手段は、前記プロトコル格納手段に格納されている撮影プロトコルを取得し、前記取得した撮影プロトコルを前記他の放射線撮影装置のデータ格納手段に格納することを特徴とする請求項４に記載の放射線撮影システム。
【請求項８】
前記プロトコル格納手段に格納されている撮影プロトコルを出力するプロトコル出力手段を更に備え、
前記プロトコル出力手段は、前記プロトコル格納手段に格納されている撮影プロトコルを取得し、前記取得した撮影プロトコルを、ネットワークを介して接続している共有サーバーに格納することを特徴とする請求項４に記載の放射線撮影システム。
【請求項９】
前記読込制御手段は、
前記共有サーバーに格納されている前記撮影プロトコルを、前記他の放射線撮影装置の他の撮影プロトコルとして取得し、
前記関連付け手段は、前記取得した撮影プロトコルに基づいて、前記関連付けを行うことを特徴とする請求項８に記載の放射線撮影システム。
【請求項１０】
前記プロトコル格納手段に登録する情報を設定に基づいて選択する登録選択手段を更に備え、
前記登録選択手段は、
前記関連付け手段により関連づけられた前記他の撮影プロトコルのうち、前記登録選択手段で選択された撮影プロトコルを、前記プロトコル格納手段に格納することを特徴とする請求項３に記載の放射線撮影システム。
【請求項１１】
前記登録選択手段は、前記プロトコル格納手段に登録する情報を設定するための撮影プロトコル選択画面を表示手段に表示させる表示制御を行うことを特徴とする請求項１０に記載の放射線撮影システム。
【請求項１２】
前記プロトコル格納手段に格納されている撮影プロトコルのうち、外部に出力する撮影プロトコルを設定に基づいて選択する出力選択手段を更に備え、
前記出力選択手段は、
前記プロトコル格納手段から取得した撮影プロトコルのうち、外部に出力する撮影プロトコルを設定に基づいて選択し、前記選択した撮影プロトコルを前記データ格納手段に格納することを特徴とする請求項４または５に記載の放射線撮影システム。
【請求項１３】
前記出力選択手段は、前記外部に出力する撮影プロトコルを設定するための撮影プロトコル選択画面を表示手段に表示させる表示制御を行うことを特徴とする請求項１２に記載の放射線撮影システム。
【請求項１４】
前記読込制御手段は、前記撮影プロトコルの特性情報と、前記他の撮影プロトコルの特性情報とが一致する場合、前記格納されている前記撮影プロトコルの特性情報を、前記他の撮影プロトコルの特性情報で置き換えて前記プロトコル格納手段に登録することを特徴とする請求項１乃至１３のいずれか１項に記載の放射線撮影システム。
【請求項１５】
前記読込制御手段は、
前記プロトコル格納手段に格納されている撮影プロトコルを保持し、
前記関連付けに基づいて、前記プロトコル格納手段に格納されていた前記撮影プロトコルの特性情報を、前記他の撮影プロトコルの特性情報で置き換えた撮影プロトコルを前記プロトコル格納手段に格納する
ことを特徴とする請求項１または２に記載の放射線撮影システム。
【請求項１６】
前記読込制御手段は、
前記関連付け手段により前記特性情報が関連付けられた撮影プロトコルが前記プロトコル格納手段に格納されている場合、前記プロトコル格納手段に登録済の撮影プロトコルの特性情報を前記関連付けに基づいて更新することを特徴する請求項１５に記載の放射線撮影システム。
【請求項１７】
前記読込制御手段は、前記撮影プロトコルに含まれる特性情報に基づいて、前記撮影プロトコルが前記プロトコル格納手段に登録済であるか判定することを特徴とする請求項１６に記載の放射線撮影システム。
【請求項１８】
前記読込制御手段は、
前記関連付け手段により前記特性情報が関連付けられた撮影プロトコルが前記プロトコル格納手段に格納されていない場合、前記特性情報が関連付けられた撮影プロトコルを前記プロトコル格納手段に追加することを特徴する請求項１５に記載の放射線撮影システム。
【請求項１９】
前記更新する撮影プロトコルの特性情報を選択する更新選択手段を更に備え、
前記読込制御手段は、前記更新選択手段により選択された前記特性情報に基づいて、前記特性情報の更新を行うことを特徴とする請求項１６または１７に記載の放射線撮影システム。
【請求項２０】
前記更新選択手段は、前記更新する撮影プロトコルの特性情報を選択するための共有設定画面を表示手段に表示させる表示制御を行うことを特徴とする請求項１９に記載の放射線撮影システム。
【請求項２１】
前記読込制御手段は、前記更新選択手段により選択されていない特性情報については前記更新を行わず、前記プロトコル格納手段に登録済の撮影プロトコルの特性情報を保持することを特徴とする請求項１９または２０に記載の放射線撮影システム。
【請求項２２】
前記読込制御手段は、前記撮影プロトコルに含まれる複数の特性情報のうち前記共有設定画面により一部の特性情報が選択された場合、前記一部の特性情報に基づいて前記更新を行うことを特徴とする請求項２０に記載の放射線撮影システム。
【請求項２３】
前記更新選択手段は、前記共有設定画面において、前記撮影プロトコルを前記プロトコル格納手段に格納する読込方式として、上書き方式または併合方式を選択する読込方式設定部を表示手段に表示させることを特徴とする請求項２０に記載の放射線撮影システム。
【請求項２４】
前記上書き方式が選択された場合、前記読込制御手段は、前記プロトコル格納手段に格納されている撮影プロトコルを削除して、前記関連付けた撮影プロトコルを前記プロトコル格納手段に格納することを特徴とする請求項２３に記載の放射線撮影システム。
【請求項２５】
前記併合方式が選択された場合、前記読込制御手段は、前記プロトコル格納手段に格納されている登録済の撮影プロトコルを保持し、前記撮影プロトコルの特性情報を更新し、または、前記撮影プロトコルを追加することを特徴とする請求項２３に記載の放射線撮影システム。
【請求項２６】
前記更新選択手段は、前記併合方式が選択された場合、前記撮影プロトコルに含まれる特性情報のうち、前記撮影プロトコルを外部機器から特定するための情報を含む特定情報を、更新の対象から除外することを特徴とする請求項２５に記載の放射線撮影システム。
【請求項２７】
前記特性情報には、
前記放射線撮影する被検者の撮影部位情報と、前記放射線撮影に使用する検出器の情報を含む撮影台情報と、前記放射線撮影した画像に適用する画像処理情報と、放射線発生装置または検出器を制御するための撮影条件情報と、外部機器から撮影プロトコルを特定するための特定情報と、の少なくともいずれか一つの情報が含まれることを特徴とする請求項１乃至２６のいずれか１項に記載の放射線撮影システム。
【請求項２８】
前記読込制御手段は、前記撮影プロトコルの撮影台情報に含まれる情報と、前記他の撮影プロトコルの撮影台情報に含まれる情報とが一致する場合、前記格納されている前記撮影プロトコルの特性情報を、前記他の撮影プロトコルの特性情報で置き換えて前記プロトコル格納手段に登録することを特徴とする請求項２７に記載の放射線撮影システム。
【請求項２９】
放射線撮影を制御するための特性情報を含む撮影プロトコルを格納するプロトコル格納手段を有する複数の放射線撮影装置を含む放射線撮影システムの放射線撮影方法であって、
他の放射線撮影装置の他の撮影プロトコルの特性情報と、前記格納されている前記撮影プロトコルの特性情報との関連付けを行う関連付け工程と、
前記プロトコル格納手段に対する前記他の撮影プロトコルの特性情報の登録を、前記関連付けに基づいて制御する読込制御工程と、
を有することを特徴とする放射線撮影方法。
【請求項３０】
被検体の放射線撮影を行う放射線撮影装置であって、
前記放射線撮影を制御するための特性情報を含む撮影プロトコルを格納するプロトコル格納手段と、
他の放射線撮影装置の他の撮影プロトコルの特性情報と、前記格納されている前記撮影プロトコルの特性情報との関連付けを行う関連付け手段と、
前記プロトコル格納手段に対する前記他の撮影プロトコルの特性情報の登録を、前記関連付けに基づいて制御する読込制御手段と、
を備えることを特徴とする放射線撮影装置。
【請求項３１】
コンピュータを、請求項１乃至２８のいずれか１項に記載の放射線撮影システムの各手段として機能させるためのプログラム。
【発明の詳細な説明】
【技術分野】
【０００１】
本発明は、放射線を用いて撮影を行う放射線撮影システム及び放射線撮影方法、放射線撮影装置およびプログラムに関するものである。
【背景技術】
【０００２】
医療分野での放射線撮影においては、撮影を行うために必要な撮影部位や撮影台、画像処理や撮影条件等に関する少なくともいずれかの情報を含む撮影プロトコルによって撮影を実施するようになっている。
【０００３】
特許文献１には、複数の撮影室に設置された放射線撮影装置において設定されている撮影プロトコルを、各放射線撮影装置の間で共有するとともに、その共有する撮影プロトコルを用いて、被検体の撮影を行う技術が提案されている。
【先行技術文献】
【特許文献】
【０００４】
【特許文献１】特開２０１６−２２０９６号公報
【発明の概要】
【発明が解決しようとする課題】
【０００５】
しかしながら、撮影プロトコルを一律に共有した場合、撮影に使用するセンサのキャリブレーション情報などのセンサ特性も共有してしまうことになり、撮影に使用するセンサに不適切な補正処理が施され、期待しない画像が取得される可能性がある。
【０００６】
そこで、本発明は、上記の従来技術に鑑みて、撮影プロトコルの共有を行う複数の放射線撮影装置の間において、他の放射線撮影装置の他の撮影プロトコルの特性情報と、格納されている撮影プロトコルの特性情報との関連付けに基づいて登録を制御することが可能な放射線撮影技術の提供を目的とする。
【課題を解決するための手段】
【０００７】
本発明の目的を達成するために、本発明の一態様による放射線撮影システムは、放射線撮影を行う複数の放射線撮影装置を有する放射線撮影システムであって、前記放射線撮影装置は、
前記放射線撮影を制御するための特性情報を含む撮影プロトコルを格納するプロトコル格納手段と、
他の放射線撮影装置の他の撮影プロトコルの特性情報と、前記格納されている前記撮影プロトコルの特性情報との関連付けを行う関連付け手段と、
前記プロトコル格納手段に対する前記他の撮影プロトコルの特性情報の登録を、前記関連付けに基づいて制御する読込制御手段と、を備えることを特徴とする。
【発明の効果】
【０００８】
本発明によれば、撮影プロトコルの共有を行う複数の放射線撮影装置の間において、他の放射線撮影装置の他の撮影プロトコルの特性情報と、格納されている撮影プロトコルの特性情報との関連付けに基づいて登録を制御することが可能になる。
【図面の簡単な説明】
【０００９】
【図１】実施形態１の放射線撮影システムのシステム構成を示す図。
【図２】放射線撮影システムの機能構成を示すブロック図。
【図３】撮影プロトコルおよびプロトコル情報群を例示する図。
【図４】出力用の放射線撮影装置のプロトコル出力部がプロトコル情報群をデータ格納部に格納する処理の流れを説明する図。
【図５】読込用の放射線撮影装置の読込制御部がプロトコル情報群をプロトコル格納部に格納する処理の流れを説明する図。
【図６】撮影プロトコルの反映処理の具体的な処理の流れを説明する図。
【図７】撮影台情報の関連付けを指定するＧＵＩの一例を示す図。
【図８】放射線撮影システムの機能構成を示すブロック図。
【図９】出力用の放射線撮影装置のプロトコル出力部がプロトコル情報群を読込用の放射線撮影装置のデータ格納部に格納する処理の流れを説明する図。
【図１０】読込用の放射線撮影装置の読込制御部がプロトコル情報群をプロトコル格納部に格納する処理の流れを説明する図。
【図１１】実施形態３の放射線撮影システムのシステム構成を示す図。
【図１２】放射線撮影システムの機能構成を示すブロック図。
【図１３】出力用の放射線撮影装置のプロトコル出力部がプロトコル情報群を共有サーバーに格納する処理の流れを説明する図。
【図１４】読込用の放射線撮影装置の読込制御部がプロトコル情報群を読込用の放射線撮影装置のプロトコル格納部に格納する処理の流れを説明する図。
【図１５】読込用の放射線撮影装置の読込制御部が、登録する対象を撮影プロトコル単位で選択し、プロトコル情報群をプロトコル格納部に格納する処理の流れを説明する図。
【図１６】撮影プロトコルの反映処理の流れを説明する図。
【図１７】撮影プロトコルを選択するＧＵＩの一例を示す図。
【図１８】出力用の放射線撮影装置が、撮影プロトコル単位で出力する撮影プロトコルを選択し、選択された撮影プロトコルを有するプロトコル情報群をデータ格納部に格納する処理の流れを説明する図。
【図１９】撮影プロトコルを選択するためのＧＵＩの一例を示す図。
【図２０】撮影プロトコルの反映処理の具体的な処理の流れを説明する図。
【図２１】読込用の放射線撮影装置において追加登録する特性情報をフィルタリングする処理の流れを説明する図。
【図２２】共有する特性情報の設定を行うためのＧＵＩの一例を示す図。
【発明を実施するための形態】
【００１０】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１１】
［実施形態１］
図１は、本発明が適用される実施形態１の放射線撮影システム１００のシステム構成を示す図である。放射線撮影システム１００は、放射線撮影を行う複数の放射線撮影装置を有する。例えば、放射線撮影システム１００は、撮影プロトコル等の撮影情報を出力する少なくとも１つの出力用の放射線撮影装置１０１と、撮影プロトコル等の撮影情報を読込む少なくとも１つの読込用の放射線撮影装置１０２とを有する。複数の放射線撮影装置１０１、１０２がネットワーク１０３を介して接続されている。また、放射線撮影システム１００は、ネットワーク１０３を介して、ＲＩＳ（Radiology Information Systems）などの外部機器１０４とも接続されている。出力用の放射線撮影装置１０１および読込用の放射線撮影装置１０２の機能は固定的なものではなく、ユーザーの設定により出力用または読込用を切替えることが可能である。
【００１２】
図２は、放射線撮影システム１００の機能構成を示すブロック図である。放射線撮影装置１０１および１０２は、撮影実施部２０１と、撮影制御部２０２と、データ格納部２０３とを有する。
【００１３】
撮影実施部２０１は、放射線を発生する放射線発生装置２０１ａと撮影台２０１ｂとを有する。また、撮影制御部２０２は、表示部２０２ａと、制御部２０２ｂと、プロトコル格納部２０２ｃと、プロトコル出力部２０２ｄと、読込制御部２０２ｅと、操作部２０２ｆとを有する。以下、出力用の放射線撮影装置１０１および読込用の放射線撮影装置１０２の動作を具体的に説明する。
【００１４】
（出力用の放射線撮影装置１０１の動作）
出力用の放射線撮影装置１０１（以下、出力装置ともいう）において、制御部２０２ｂは、放射線撮影を制御するための特性情報を含む撮影プロトコルを格納するプロトコル格納部２０２ｃから撮影に必要な撮影プロトコルを取得し、撮影台２０１ａおよび放射線発生装置２０１ｂを制御する。放射線発生装置２０１ａは、制御部２０２ｂから撮影条件を受信し、放射線を照射する。撮影台２０１ｂに含まれる検出器（センサ）は、制御部２０２ｂから撮影可否を制御され、放射線発生装置２０１ａから受けた放射線の検出により画像化し、制御部２０２ｂに送信する。表示部２０２ａは、制御部２０２ｂが受信した画像を表示したり、操作部２０２ｆからの操作を受けるＧＵＩを表示する。
【００１５】
制御部２０２ｂは、受信した放射線画像をデータ格納部２０３に格納する。また、プロトコル出力部２０２ｄは、プロトコル格納部２０２ｃより設定登録済みのプロトコル情報群を取得し、取得したプロトコル情報群をデータ格納部２０３に格納する。データ格納部２０３は、複数の放射線撮影装置１０１、１０２の間で撮影プロトコルの送受信を行うために、プロトコル格納部２０２ｃに格納されている全ての撮影プロトコルを格納する。
【００１６】
（読込用の放射線撮影装置１０２の動作）
読込用の放射線撮影装置１０２（以下、読込装置ともいう）において、読込制御部２０２ｅは、ネットワーク１０３を介して出力用の放射線撮影装置１０１のデータ格納部２０３に接続し、格納されているプロトコル情報群を取得する。読込制御部２０２ｅは取得したプロトコル情報群を、プロトコル格納部２０２ｃに登録されている撮影プロトコルの特性情報を関連付けることにより、読込用の放射線撮影装置１０２の撮影プロトコルとしてプロトコル格納部２０２ｃに登録する。
【００１７】
読込用の放射線撮影装置１０２において、表示部２０２ａは、制御部２０２ｂの表示制御により、同期用のプロトコル情報群に含まれる撮影プロトコルの特性情報を、読込用の放射線撮影装置１０２に登録されている撮影プロトコルの特性情報と関連付ける、またはフィルタリングするためのＧＵＩを表示することが可能である。表示部２０２ａおよび制御部２０２ｂおよび操作部２０２ｆは、他の放射線撮影装置の他の撮影プロトコルの特性情報と、プロトコル格納部２０２ｃに格納されている撮影プロトコルの特性情報との関連付けを行う関連付け部として機能する。読込制御部２０２ｅは、プロトコル格納部２０２ｃに対する他の撮影プロトコルの特性情報の登録を、関連付けに基づいて制御する。
【００１８】
（撮影プロトコルおよびプロトコル情報群）
図３は、撮影プロトコルおよびプロトコル情報群を例示する図である。プロトコル情報群３００は、少なくとも１つ以上の撮影プロトコル３０１有する。撮影プロトコル３０１は、被検者の撮影を行うために必要な撮影部位や撮影台、画像処理や撮影条件等に関する特性情報３７０を含む。特性情報３７０には、放射線撮影する被検者の撮影部位情報３０２と、放射線撮影に使用する検出器の情報を含む撮影台情報３０３と、放射線撮影した画像に適用する画像処理情報３０４と、放射線発生装置または検出器を制御するための撮影条件情報３０５と、外部機器から撮影プロトコルを特定するための特定情報３０６と、の少なくともいずれか一つの情報が含まれる。
【００１９】
撮影部位情報３０２には、例えば、撮影プロトコルを特定し識別するためのプロトコル名３０２ａ、被検者の撮影部位３０２ｂ、被検者の撮影方向３０２ｃ（被検者方向）などの情報が含まれる。
【００２０】
撮影台情報３０３には、撮影台名３０３ａ、被検者の姿勢３０３ｂ（姿勢）、撮影台に含まれるセンサ種別３０３ｃ、キャリブレーション情報などのセンサ特性３０３ｄなどの情報が含まれる。
【００２１】
画像処理情報３０４には、放射線撮影した画像に適用するためのエッジ強調度３０４ａ、輝度３０４ｂ、コントラスト３０４ｃなど画像処理パラメータに関する情報が含まれる。
【００２２】
撮影条件情報３０５には、放射線発生装置や検出器（センサ）を制御するための情報が含まれる。例えば、撮影条件情報３０５には、撮影実施部２０１を制御するための放射線量３０５ａや撮影距離３０５ｂや管電圧３０５ｃなどの情報が含まれる。
【００２３】
また、特定情報３０６には、撮影プロトコルをＲＩＳなどの外部機器１０４から特定するための情報（例えば、コード値などの情報）が含まれる。
【００２４】
撮影プロトコル３０１を複数の放射線撮影装置の間で共有する際に、放射線撮影装置ごとに異なる条件で撮影するために、特性情報３７０のうち除外する必要がある情報がある。たとえば、図２で示す撮影台２０１ｂは放射線撮影装置ごとに異なるために、撮影プロトコルを共有する時にも撮影台情報３０３は、出力用の放射線撮影装置１０１から取得した撮影台情報に基づいて更新せずに、予め読込用の放射線撮影装置１０２で保持している撮影台情報３０３を保持する場合もあり得る。この場合は、後に説明する処理により、撮影台情報３０３を更新の対象から除外し、撮影台情報３０３を除いた特性情報３７０の撮影プロトコル３０１を出力用の放射線撮影装置１０１と読込用の放射線撮影装置１０２との間で共有することが可能である。
【００２５】
図４は、出力用の放射線撮影装置１０１のプロトコル出力部２０２ｄがプロトコル情報群をデータ格納部２０３に格納する処理の流れを説明するフローチャートである。
【００２６】
ステップＳ４０１において、プロトコル出力部２０２ｄは、設定登録されているプロトコル情報群３００（全撮影プロトコル）をプロトコル格納部２０２ｃから取得する。そして、ステップＳ４０２において、プロトコル出力部２０２ｄは、取得したプロトコル情報群３００を、同期用のプロトコル情報群３００としてデータ格納部２０３に格納する。同期用のプロトコル情報群３００とは、出力用の放射線撮影装置１０１と読込用の放射線撮影装置１０２との間で共有するプロトコル情報群３００をいう。
【００２７】
図５は、読込用の放射線撮影装置１０２の読込制御部２０２ｅがプロトコル情報群３００をプロトコル格納部２０２ｃに格納する処理の流れを説明するフローチャートである。
【００２８】
まず、ステップＳ５０１において、ユーザーは操作部２０２ｆより出力用の放射線撮影装置１０１のデータ格納部２０３を指定する。これは、放射線撮影装置１０１の装置名やネットワークアドレスまたは絶対パスの指定などで実現される。
【００２９】
そして、ステップＳ５０２において、読込制御部２０２ｅは、他の放射線撮影装置のデータ格納部２０３に格納されている撮影プロトコルを、他の放射線撮影装置の他の撮影プロトコルとして取得する。具体的には、読込制御部２０２ｅは、指定された出力用の放射線撮影装置１０１のデータ格納部２０３と通信し、ステップＳ４０２でデータ格納部２０３に格納された同期用のプロトコル情報群を取得し、読込を行う。
【００３０】
ステップＳ５０３において、関連付け部（制御部２０２、表示部２０２ａおよび操作部２０２ｆ）は、取得した撮影プロトコルに基づいて、関連付けを行う。具体的には、ユーザーは操作部２０２ｆより、出力用の放射線撮影装置１０１から読込んだ同期用のプロトコル情報群３００について、撮影プロトコル３０１の特性情報３７０の関連付けを行う。以下の例では、特性情報３７０の関連付けとして撮影台情報３０３を例として説明しているが、この例に限定されず、特性情報３７０に含まれる他の情報を関連付けて登録することも可能である。本ステップでは、出力用の撮影プロトコル３０１の特性情報３７０（例えば、撮影台情報３０３）と、読込用の放射線撮影装置１０２のプロトコル格納部２０２ｃに登録されている撮影プロトコルの特性情報３７０（例えば、撮影台情報３０３）との関連付けを指定する。
【００３１】
ステップＳ５０４において、読込制御部２０２ｅは、関連付け部（制御部２０２ｂ、表示部２０２ａおよび操作部２０２ｆ）の関連付けに基づいて、撮影プロトコルの特性情報と、他の撮影プロトコルの特性情報との比較を行い、比較の結果に基づいて、登録（読み込み）の制御を行う。読込制御部２０２ｅは、同期用のプロトコル情報群に含まれる撮影台の構成と、ステップＳ５０３で関連付けられた撮影台の構成とが一致していない場合（Ｓ５０４−Ｎｏ）は処理を中止し、撮影台の構成が一致する場合は処理を続行する（Ｓ５０４−Ｙｅｓ）。
【００３２】
撮影台の構成とは、撮影台の数と種別によって決定することができる。撮影台の種別とは、撮影に使用するセンサの少なくとも撮影サイズが一致するものを同じ種別として扱うことができる。撮影台の数や種別が異なる放射線撮影装置で撮影プロトコルの共有を行った場合、ステップＳ５０３での関連付けの指定は、不完全な関連付けの指定となる。この場合、共有できない撮影プロトコルや、共有しても撮影できない撮影プロトコルが発生することになる。つまり、本実施形態では、出力用の放射線撮影装置１０１と読込用の放射線撮影装置１０２との運用が一致している場合を想定している。
【００３３】
ステップＳ５０４の判定で、撮影台の構成が一致している場合は（Ｓ５０４−Ｙｅｓ）、処理をステップＳ５０５に進め、撮影プロトコルの反映を行う。
【００３４】
ステップＳ５０５において、読込制御部２０２ｅは、撮影プロトコルの特性情報と、他の撮影プロトコルの特性情報とが一致する場合、格納されている撮影プロトコルの特性情報を、他の撮影プロトコルの特性情報で置き換えてプロトコル格納部２０２ｃに登録する。具体的な撮影プロトコルの反映処理については後述する。
【００３５】
（撮影プロトコルの反映処理）
読込制御部２０２ｅは、プロトコル格納部２０２ｃに格納されている全ての撮影プロトコルを削除し、関連付けに基づいて、プロトコル格納部２０２ｃに格納されていた撮影プロトコルの特性情報を、他の撮影プロトコルの特性情報で置き換えた撮影プロトコルをプロトコル格納部２０２ｃに格納する。
【００３６】
図６は、図５のステップＳ５０５における撮影プロトコルの反映処理の具体的な処理の流れを説明するフローチャートである。
【００３７】
ステップＳ６０１において、撮影プロトコルの反映が開始されると、読込制御部２０２ｅは、プロトコル格納部２０２ｃに登録されている撮影プロトコルを削除する（Ｓ６０１）。
【００３８】
そして、ステップＳ６０２において、読込制御部２０２ｅは、出力用の放射線撮影装置１０１から取得した同期用のプロトコル情報群３００に基づいて、処理対象の撮影プロトコルの撮影台情報３０３を図５のステップＳ５０３で指定された関連付けに基づき置き換える。これにより、処理対象の撮影プロトコルが読込用の放射線撮影装置１０２で撮影可能となる。
【００３９】
ステップＳ６０３において、読込制御部２０２ｅは、ステップＳ６０２で置き換えた撮影台情報３０３の撮影プロトコルを読込用の放射線撮影装置１０２のプロトコル格納部２０２ｃに追加する。
【００４０】
そして、ステップＳ６０４において、読込制御部２０２ｅは、ステップＳ６０２乃至Ｓ６０３の撮影プロトコル反映処理を、同期用のプロトコル情報群３００に含まれる全ての撮影プロトコル３０１に対して繰り返し行う。同期用のプロトコル情報群３００に含まれる全ての撮影プロトコルに関する反映処理が完了することにより、本処理は終了となる。
【００４１】
（関連付けを指定するＧＵＩ）
関連付け部（制御部２０２ｂ、表示部２０２ａおよび操作部２０２ｆ）は、関連付けを行うための関連付け画面を表示部２０２ｂに表示させる表示制御を行う。図７は、図５のステップＳ５０３において、撮影台情報３０３の関連付けを指定するＧＵＩ（撮影台の関連付け画面）の一例を示す図である。図７の関連付けを指定する関連付け画面７００（ＧＵＩ）は制御部２０２ｂにより表示制御される。
【００４２】
ユーザーが操作部２０２ｆより撮影プロトコルの読込を指示すると、特性情報３７０（例えば、撮影台情報３０３）の関連付け画面７００（ＧＵＩ）が読込用の放射線撮影装置１０２の表示部２０２ａに表示される。撮影台の関連付け画面７００には、撮影台情報の関連付けを行うための撮影台の関連付けリスト７０１が表示される。撮影台の関連付けリスト７０１には、図５のステップＳ５０２で読み込んだ同期用のプロトコル情報群３００に含まれる出力用の放射線撮影装置１０１の撮影台情報３０３の一覧７０２と、撮影台情報３０３の一覧７０２に表示されている撮影台に含まれるセンサのセンサ種別を表示するセンサ種別表示部７０３と、一覧７０２に表示されている撮影台情報３０３に対して関連付ける読込用の放射線撮影装置１０２の撮影台情報を設定する関連付け部７０４とが含まれる。
【００４３】
撮影台情報の関連付け部７０４には、読込用の放射線撮影装置１０２のプロトコル格納部２０２ｃに設定登録されている撮影プロトコル３０１に含まれる撮影台情報３０３のうち、センサ種別表示部７０３に表示されているセンサ種別と一致するセンサ種別をもった撮影台情報が、コンボボックスなどに選択可能な表示制御の下に表示される。
【００４４】
一覧７０２に表示されている出力用の放射線撮影装置の撮影台情報３０３に対して、関連付け部７０４は、操作部２０２ｆの入力に基づいて、読込用の放射線撮影装置１０２における撮影台情報の関連付けを行い、関連付け完了ボタン７０５（ＯＫ）をユーザーが押下することで、読込用の放射線撮影装置１０２における撮影台情報３０３の関連付けの指定が完了する。また、読込中断指示ボタン７０６（Ｃａｎｃｅｌ）が押下されると、撮影プロトコルの反映は開始されず、撮影台関連付け画面７００が破棄される。
【００４５】
以上のように、出力用の放射線撮影装置１０１の撮影プロトコルを別の放射線撮影装置である読込用の放射線撮影装置１０２に反映する際に、例えば、出力用の放射線撮影装置１０１の撮影プロトコルに基づいた撮影台情報３０３で読込用の放射線撮影装置１０２の情報を置き換えることで、読込用の放射線撮影装置１０２で撮影するための撮影プロトコルとして登録することが可能となる。
【００４６】
本実施形態によれば、共有対象の撮影プロトコルの特性情報を読込用の放射線撮影装置で適用可能な特性情報に関連付けをすることで、放射線撮影装置ごとに適した撮影プロトコルの設定を行うことが可能になる。
【００４７】
［実施形態２］
本実施形態では、出力用の放射線撮影装置１０１がプロトコル情報群３００を出力して読込用の放射線撮影装置１０２のデータ格納部２０３に格納する例について説明する。なお、実施形態１の構成と共通する部分については重複を避けるため説明を省略する。
【００４８】
図８は、本発明が適用される実施形態２の放射線撮影システム１００のシステム構成を示す図である。プロトコル出力部８０２ｄは、プロトコル格納部２０２ｃに格納されている撮影プロトコルを出力する。出力用の放射線撮影装置１０１のプロトコル出力部８０２ｄは、プロトコル格納部２０２ｃに格納されている全ての撮影プロトコルを取得し、取得した全ての撮影プロトコルを他の放射線撮影装置のデータ格納部２０３に格納する。
【００４９】
出力用の放射線撮影装置１０１のプロトコル出力部８０２ｄは、プロトコル格納部２０２ｃより設定登録されているプロトコル情報群３００（全撮影プロトコル）を取得する。プロトコル出力部８０２ｄは、取得したプロトコル情報群３００を、ネットワーク１０３を介して読込用の放射線撮影装置１０２のデータ格納部２０３に格納する。
【００５０】
読込用の放射線撮影装置１０２では、プロトコル情報群３００に含まれる撮影プロトコル３０１を共有するために、読込制御部８０２ｅは読込用の放射線撮影装置１０２のデータ格納部２０３に格納されているプロトコル情報群を取得する。そして、読込制御部２０２ｅは取得したプロトコル情報群を放射線撮影装置１０２のプロトコル格納部２０２ｃに設定登録する。
【００５１】
図９は、出力用の放射線撮影装置１０１のプロトコル出力部８０２ｄがプロトコル情報群３００を読込用の放射線撮影装置１０２のデータ格納部２０３に格納する処理の流れを説明するフローチャートである。
【００５２】
ステップＳ９０１において、出力用の放射線撮影装置１０１のプロトコル出力部８０２ｄは、ユーザーによって読込用の放射線撮影装置１０２のデータ格納部２０３を指定する。これは、放射線撮影装置の装置名やネットワークアドレスまたは絶対パスの指定などで実現される。
【００５３】
ステップＳ９０２において、プロトコル出力部８０２ｄは、出力用の放射線撮影装置１０１に設定されている撮影プロトコル群（全撮影プロトコル）をプロトコル格納部２０２ｃから取得する。
【００５４】
そして、ステップＳ９０３において、プロトコル出力部８０２ｄは、取得したプロトコル情報群３００を同期用のプロトコル情報群として読込用の放射線撮影装置１０２のデータ格納部２０３に格納する。同期用のプロトコル情報群とは、出力用の放射線撮影装置１０１と読込用の放射線撮影装置１０２との間で共有するプロトコル情報群をいう。
【００５５】
図１０は、読込用の放射線撮影装置１０２の読込制御部８０２ｅがプロトコル情報群をプロトコル格納部２０２ｃに格納する処理の流れを説明するフローチャートである。
【００５６】
ステップＳ１００１において、読込制御部８０２ｅは、読込用の放射線撮影装置１０２のデータ格納部２０３から、ステップＳ９０３で出力用の放射線撮影装置１０１から出力された同期用のプロトコル情報群を読み込む。
【００５７】
ステップＳ１００２において、ユーザーは操作部２０２ｆにより、出力用の放射線撮影装置１０１から読み込んだ同期用のプロトコル情報群に含まれる撮影台情報３０３と、プロトコル格納部２０２ｃに登録されている撮影プロトコルに含まれる撮影台情報３０３との関連付けを指定する。
【００５８】
ステップＳ１００３において、読込制御部８０２ｅは、同期用のプロトコル情報群に含まれる撮影台の構成と、ステップＳ１００２で関連付けられた撮影台の構成とが一致していない場合（Ｓ１００３−Ｎｏ）は処理を中止し、撮影台の構成が一致する場合は（Ｓ１００３−Ｙｅｓ）、処理をステップＳ１００４に進める。
【００５９】
ステップＳ１００４では、撮影プロトコルの反映を行う。撮影プロトコルの反映処理は、図６で説明した処理と同一の処理となる。
【００６０】
本実施形態によれば、出力用の放射線撮影装置１０２が、読込を行う放射線撮影装置のデータ格納部に同期用のプロトコル情報群を出力することで、読込用の放射線撮影装置から出力用の放射線撮影装置へのアクセス可否に関わらず、撮影プロトコルを共有することが可能になる。
【００６１】
［実施形態３］
本実施形態では、同期用のプロトコル情報群を放射線撮影システム１００ではない格納領域（保存領域）に格納する構成について説明する。なお、実施形態１および実施形態２の構成と共通する部分については重複を避けるため説明を省略する。
【００６２】
図１１は、本発明が適用される実施形態３の放射線撮影システム１００のシステム構成を示す図である。プロトコル出力部８０２ｄは、プロトコル格納部２０２ｃに格納されている全ての撮影プロトコルを取得し、取得した全ての撮影プロトコルを、ネットワーク１０３を介して接続している共有サーバーに格納する。放射線撮影システム１００は、少なくとも１つの出力用の放射線撮影装置１０１と、少なくとも１つの読込用の放射線撮影装置１０２とを有し、複数の放射線撮影装置１０１、１０２がネットワーク１０３を介して接続されている。また、放射線撮影システム１００は、ネットワーク１０３を介して、ＲＩＳなどの外部機器１０４およびデータ格納用の共有サーバー１１０５とも接続される。
【００６３】
図１２は、放射線撮影システム１００の機能構成を示すブロック図である。出力用の放射線撮影装置１０１のプロトコル出力部１２０２ｄは、プロトコル格納部２０２ｃより設定登録済みのプロトコル情報群３００を取得し、取得したプロトコル情報群３００を、ネットワーク１０３を介して共有サーバー１１０５に格納する。読込用の放射線撮影装置１０２は、プロトコル情報群３００に含まれる撮影プロトコル３０１を共有するために、読込用の放射線撮影装置１０２の読込制御部１２０２ｅは共有サーバー１１０５アクセスし、共有サーバー１１０５に格納されているプロトコル情報群３００を取得し、取得したプロトコル情報群３００を読込用の放射線撮影装置１０２のプロトコル格納部２０２ｃに格納する。
【００６４】
図１３は、出力用の放射線撮影装置１０１のプロトコル出力部１２０２ｄがプロトコル情報群を共有サーバー１１０５に格納する処理の流れを説明するフローチャートである。
【００６５】
ステップＳ１３０１において、プロトコル出力部１２０２ｄは、ユーザーの操作によって共有サーバー１１０５を指定する。そして、ステップＳ１３０２において、プロトコル出力部１２０２ｄは、出力用の放射線撮影装置１０１に設定されているプロトコル情報群３００（全撮影プロトコル）をプロトコル格納部２０２ｃから取得する。ステップＳ１３０３において、プロトコル出力部１２０２ｄは、取得したプロトコル情報群３００（全撮影プロトコル）を、同期用のプロトコル情報群３００として共有サーバー１１０５に格納する。
【００６６】
読込制御部１２０２ｅは、共有サーバー１１０５に格納されている撮影プロトコルを、他の放射線撮影装置の他の撮影プロトコルとして取得し、関連付け部（制御部２０２ｂ、表示部２０２ａおよび操作部２０２ｆ）は、取得した撮影プロトコルに基づいて、関連付けを行う。図１４は、読込用の放射線撮影装置１０２の読込制御部１２０２ｅがプロトコル情報群３００を読込用の放射線撮影装置１０２のプロトコル格納部２０２ｃに格納する処理の流れを説明するフローチャートである。
【００６７】
ステップＳ１４０１において、読込用の放射線撮影装置１０２の読込制御部１２０２ｅは、共有サーバー１１０５から、図１３のステップＳ１３０３で出力用の放射線撮影装置１０１から出力された同期用のプロトコル情報群３００を読み込む。
【００６８】
ステップＳ１４０２において、ユーザーは操作部２０２ｆにより、読み込んだ同期用のプロトコル情報群３００に含まれる撮影プロトコル３０１の撮影台情報３０３と、読込用の放射線撮影装置１０２のプロトコル格納部２０２ｃに登録されている撮影プロトコル３０１に含まれる撮影台情報３０３との関連付けを指定する。このとき、同期用のプロトコル情報群３００に含まれる撮影プロトコル３０１の撮影台の構成と、ステップＳ１４０２で関連付けられた撮影台の構成とが一致していない場合は処理を中止し（Ｓ１４０３−Ｎｏ）、撮影台の構成が一致する場合は（Ｓ１４０３−Ｙｅｓ）、処理をステップＳ１４０４に進める。
【００６９】
ステップＳ１４０４では、撮影プロトコルの反映を行う。撮影プロトコルの反映処理は、図６で説明した処理と同一の処理となる。
【００７０】
本実施形態によれば、プロトコル撮影群の出力場所を放射線撮影システムから切り離すことによって、出力用の放射線撮影装置および読込用の放射線撮影装置の運用に影響を及ぼすことなく、撮影プロトコルを共有することが可能になる。
【００７１】
[実施形態４]
本実施形態では、同期用のプロトコル情報群３００の読み込み時に、登録する対象を撮影プロトコル３０１単位で選択（フィルタリング）する構成について説明する。なお、実施形態１乃至実施形態３の構成と共通する部分については重複を避けるため説明を省略する。また、本実施形態における同期用のプロトコル情報群の出力場所は、実施形態で説明した読込用の放射線撮影装置１０２や実施形態３で説明したデータ格納用の共有サーバー１１０５のいずれであってもよい。
【００７２】
本実施形態では、表示部２０２ａおよび制御部２０２ｂおよび操作部２０２ｆは、プロトコル格納部２０２ｃに登録する情報を設定に基づいて選択する登録選択部として機能する。登録選択部（表示部２０２ａ、制御部２０２ｂおよび操作部２０２ｆ）は、関連付け部により関連づけられた他の撮影プロトコルのうち、登録選択部で選択された撮影プロトコルを、プロトコル格納部２０２ｃに格納する。
【００７３】
図１５は、読込用の放射線撮影装置１０２の読込制御部２０２ｅが、登録する対象を撮影プロトコル単位で選択し、プロトコル情報群３００の撮影プロトコルをプロトコル格納部２０２ｃに格納する処理の流れを説明するフローチャートである。
【００７４】
ステップＳ１５０１において、ユーザーは読込用の放射線撮影装置１０２の操作部２０２ｆより出力用の放射線撮影装置１０１のデータ格納部２０３を指定する。これは、放射線撮影装置の装置名やネットワークアドレスまたは絶対パスの指定などで実現される。
【００７５】
ステップＳ１５０２において、読込制御部２０２ｅは、指定されたデータ格納部２０３と通信し、出力用の放射線撮影装置１０１のデータ格納部２０３に格納された同期用のプロトコル情報群３００を取得し、読込を行う。
【００７６】
ステップＳ１５０３において、ユーザーは操作部２０２ｆより、出力用の放射線撮影装置１０１から読み込んだ同期用のプロトコル情報群３００に含まれる撮影プロトコル３０１の撮影台情報３０３と、読込用の放射線撮影装置１０２のプロトコル格納部２０２ｃに登録されている撮影プロトコル３０１に含まれる撮影台情報３０３との関連付けを指定する。
【００７７】
このとき、同期用のプロトコル情報群３００に含まれる撮影プロトコル３０１の撮影台の構成と、ステップＳ１５０３で関連付けられた撮影台の構成とが一致していない場合（Ｓ１５０４−Ｎｏ）は処理を中止し、撮影台の構成が一致する場合は（Ｓ１５０４−Ｙｅｓ）、処理をステップＳ１５０５に進める。
【００７８】
ステップＳ１５０５において、ユーザーは、操作部２０２ｆより、同期用のプロトコル情報群３００に含まれる撮影プロトコルから、読込用の放射線撮影装置１０２に格納する撮影プロトコルを選択する。
【００７９】
そして、ステップＳ１５０６において、撮影プロトコルの反映を行う。撮影プロトコルの反映処理については後述する。
【００８０】
（撮影プロトコルの反映処理）
図１６は、図１５のステップＳ１５０６における撮影プロトコルの反映処理の具体的な処理の流れを説明するフローチャートである。
【００８１】
ステップＳ１６０１において、撮影プロトコルの反映が開始されると、読込制御部２０２ｅは、読込用の放射線撮影装置１０２のプロトコル格納部２０２ｃに登録されている撮影プロトコルを削除する。
【００８２】
そして、ステップＳ１６０２において、読込制御部２０２ｅは、ステップＳ１５０５で選択した撮影プロトコルにより、処理対象の撮影プロトコルを図１５のＳ１５０３で指定された関連付けに基づき置き換える。これにより、処理対象の撮影プロトコルが読込用の放射線撮影装置１０２で撮影可能となる。
【００８３】
ステップＳ１６０３において、読込制御部２０２ｅは、ステップＳ１６０２で置き換えた撮影プロトコルを、読込用の放射線撮影装置１０２のプロトコル格納部２０２ｃに格納する。
【００８４】
そして、ステップＳ１６０４において、読込制御部２０２ｅは、Ｓ１６０２乃至Ｓ１６０３の処理を、ステップＳ１５０５で選択された撮影プロトコルに対して繰り返し行う。
【００８５】
（撮影プロトコルを選択するＧＵＩ）
登録選択部（表示部２０２ａ、制御部２０２ｂおよび操作部２０２ｆ）は、プロトコル格納部２０２ｃに登録する情報を設定するための撮影プロトコル選択画面（ＧＵＩ）を表示部２０２ａに表示させる表示制御を行う。
【００８６】
図１７は、図１５のステップＳ１５０５で、撮影プロトコルを選択する撮影プロトコル選択画面１７００（ＧＵＩ）の一例を示す図であり、撮影プロトコル選択画面１７００（ＧＵＩ）は制御部２０２ｂにより表示制御される。
【００８７】
例えば、図７の撮影台の関連付け画面７００で関連付け完了ボタン７０５（ＯＫ）が押下されると、制御部２０２ｂの表示制御により、撮影プロトコル選択画面１７００が表示される。撮影プロトコル選択画面１７００には、登録対象の撮影プロトコルを選択するための撮影プロトコル選択リスト１７０１が表示される。
【００８８】
撮影プロトコル選択リスト１７０１は、同期用のプロトコル情報群３００に含まれる撮影プロトコルの一覧を示す一覧表示部１７０２を有する。
【００８９】
撮影プロトコル選択リスト１７０１は、一覧表示部１７０２に表示される撮影プロトコルに含まれる撮影台情報を、関連付け画面７００の関連付けに基づいて置き換えた撮影台情報を表示する撮影台情報表示部１７０３を有する。
【００９０】
また、撮影プロトコル選択リスト１７０１は、一覧表示部１７０２および撮影台情報表示部１７０３にて示された撮影プロトコルを登録対象として選択するか否かを設定する共有撮影プロトコル選択部１７０４を有する。
【００９１】
ユーザーは、操作部２０２ｆを介して、共有撮影プロトコル選択部１７０４にて登録対象とする撮影プロトコルを選択し、選択完了ボタン１７０５（ＯＫ）を押下することで、図１６で説明した撮影プロトコルの反映が実行される。また、ユーザーが選択中断指示ボタン１７０６（Ｃａｎｃｅｌ）を押下すると撮影プロトコルの反映は実行されず、撮影プロトコル選択画面１７００は破棄される。
【００９２】
本実施形態によれば、登録時（読込時）に読込用の放射線撮影装置１０２（自装置）に反映する撮影プロトコルを選択することによって、自装置に必要な撮影プロトコルのみを、出力用の放射線撮影装置１０１との間で共有することが可能になる。
【００９３】
[実施形態５]
本実施形態では、出力用の放射線撮影装置１０１において、同期用のプロトコル情報群の出力時に、出力対象を撮影プロトコル単位で選択（フィルタリング）する構成について説明する。なお、先に説明した実施形態１乃至実施形態４と共通する部分については、重複を避けるため説明を省略する。また、本実施形態における同期用のプロトコル情報群の出力場所は、実施形態で説明した読込用の放射線撮影装置１０２や実施形態３で説明したデータ格納用の共有サーバー１１０５のいずれであってもよい。
【００９４】
本実施形態では、表示部２０２ａおよび制御部２０２ｂおよび操作部２０２ｆは、プロトコル格納部２０２ｃに格納されている全ての撮影プロトコルのうち、外部に出力する撮影プロトコルを設定に基づいて選択する出力選択部として機能する。出力選択部（表示部２０２ａ、制御部２０２ｂおよび操作部２０２ｆ）は、プロトコル格納部２０２ｃから取得した全ての撮影プロトコルのうち、外部に出力する撮影プロトコルを設定に基づいて選択し、選択した撮影プロトコルをデータ格納部２０３に格納する。
【００９５】
図１８は、出力用の放射線撮影装置１０１がプロトコル出力部２０２ｄによって、撮影プロトコル単位で出力する撮影プロトコルを選択し、選択された撮影プロトコルを有するプロトコル情報群をデータ格納部２０３に格納する処理の流れを説明するフローチャートである。
【００９６】
ステップＳ１８０１において、プロトコル出力部２０２ｄは、設定登録されているプロトコル情報群３００をプロトコル格納部２０２ｃから取得する。そして、ステップＳ１８０２において、ユーザーは、プロトコル情報群３００から少なくとも一つの撮影プロトコルを選択するための撮影プロトコル選択画面（ＧＵＩ）を用いて、ステップＳ１８０１で取得したプロトコル情報群３００から、同期用のプロトコル情報群、または、プロトコル情報として出力する、複数の撮影プロトコル３０１、または、単一の撮影プロトコル３０１を選択する。
【００９７】
そして、ステップＳ１８０３において、プロトコル出力部２０２ｄは、撮影プロトコル選択画面（ＧＵＩ）で選択された、複数の撮影プロトコル３０１、または、単一の撮影プロトコル３０１を、同期用のプロトコル情報群、または、プロトコル情報としてデータ格納部２０３に出力する。ＧＵＩにより撮影プロトコル単位で選択（フィルタリング）された同期用の情報がデータ格納部２０３に格納される。
【００９８】
出力選択部（表示部２０２ａ、制御部２０２ｂおよび操作部２０２ｆ）は、外部に出力する撮影プロトコルを設定するための撮影プロトコル選択画面（ＧＵＩ）を表示部２０２ａに表示させる表示制御を行う。
【００９９】
図１９は、ステップＳ１８０２で用いる撮影プロトコルを選択するための撮影プロトコル選択画面１９００（ＧＵＩ）の一例を示す図である。プロトコル出力部２０２ｄがプロトコル格納部２０２ｃに登録されているプロトコル情報群を取得すると、制御部２０２ｂの表示制御により、撮影プロトコル選択画面１９００が表示される。
【０１００】
撮影プロトコル選択画面１９００には、出力する撮影プロトコルを選択するための撮影プロトコル選択リスト１９０１が表示される。
【０１０１】
撮影プロトコル選択リスト１９０１は、ステップＳ１８０１で取得したプロトコル情報群３００に含まれる撮影プロトコル３０１の一覧を示す撮影プロトコル表示部１９０２を有する。
【０１０２】
また、撮影プロトコル選択リスト１９０１は、撮影プロトコル表示部１９０２に表示される撮影プロトコルに含まれる撮影台情報を表示する撮影台情報表示部１９０３を有する。
【０１０３】
撮影プロトコル選択リスト１９０１は、撮影プロトコル表示部１９０２および撮影台情報表示部１９０３にて示された撮影プロトコルを出力対象として選択するか否かを設定する撮影プロトコル選択部１９０４を有する。
【０１０４】
ユーザーは、操作部２０２ｆを介して、撮影プロトコル選択部１９０４にて出力対象とする撮影プロトコルを選択し、撮影プロトコル選択完了ボタン１９０５（ＯＫ）を押下することで、撮影プロトコル選択画面１９００（ＧＵＩ）で選択された複数の撮影プロトコル３０１（プロトコル情報群）、または、単一の撮影プロトコル３０１（プロトコル情報）を、同期用の情報としてデータ格納部２０３に出力する処理が実行される。また、選択中断指示ボタン１９０６（Ｃａｎｃｅｌ）が押下されると、データ格納部２０３への撮影プロトコル３０１等の出力処理は行われず、撮影プロトコル選択画面１９００が破棄される。
【０１０５】
本実施形態によれば、出力時に共有対象の撮影プロトコルを選択することによって、出力用の放射線撮影装置１０１において独自の撮影プロトコルが存在する場合でも、他装置（読込用の放射線撮影装置１０２）において不要な撮影プロトコルを予め出力用の放射線撮影装置１０１側で除いておき、共有対象として必要な撮影プロトコルを共有することができる。これにより、読込用の放射線撮影装置１０２側で、撮影プロトコルを共有する際に必要な撮影プロトコルを選択するためのユーザー負担を低減することが可能になる。
【０１０６】
本実施形態の構成は、先に説明した実施形態４の読込用の放射線撮影装置１０２の構成と組み合わせてもよい。すなわち、出力用の放射線撮影装置１０１において同期用のプロトコル情報群の出力時に、出力対象を撮影プロトコル単位でフィルタリングするとともに、読込用の放射線撮影装置１０２において、同期用のプロトコル情報群の読み込み時に、登録する対象を撮影プロトコル単位で選択してもよい。
【０１０７】
実施形態４の構成と組み合せることにより、出力用の放射線撮影装置１０１においてフィルタリングを行う上記の効果に加えて、読込時に読込用の放射線撮影装置１０２（自装置）に反映する撮影プロトコルを選択することによって、自装置に必要な撮影プロトコルのみを、出力用の放射線撮影装置１０１との間で共有することが可能になる。
【０１０８】
[実施形態６]
本実施形態では、同期用のプロトコル情報群の読込時に、読込用の放射線撮影装置１０２（自装置）で独自に登録されている撮影プロトコルを削除せずに保持しつつ、自装置で登録されている撮影プロトコル以外の撮影プロトコルを新たに追加登録する構成について説明する。なお、実施形態１〜実施形態５の構成と共通する部分については重複を避けるため説明を省略する。
【０１０９】
読込制御部２０２ｅは、プロトコル格納部２０２ｃに格納されている撮影プロトコルを保持し、関連付けに基づいて、プロトコル格納部２０２ｃに格納されていた撮影プロトコルの特性情報を、他の撮影プロトコルの特性情報で置き換えた撮影プロトコルをプロトコル格納部２０２ｃに格納する。
【０１１０】
図２０は、図５のステップＳ５０５で説明した撮影プロトコルの反映処理の具体的な処理の流れを説明するフローチャートである。
【０１１１】
ステップＳ２００１において、撮影プロトコルの反映が開始されると、読込制御部２０２ｅは、出力用の放射線撮影装置１０１から取得した撮影プロトコルに基づいて、処理対象の撮影プロトコルの特性情報（例えば、撮影台情報３０３）を、図５のステップＳ５０３で指定された関連付けに基づき置き換える。これにより、処理対象の撮影プロトコルが読込用の放射線撮影装置１０２で撮影可能となる。
【０１１２】
読込制御部２０２ｅは、関連付け部により特性情報が関連付けられた撮影プロトコルがプロトコル格納部２０２ｃに格納されている場合（Ｓ２００２）、プロトコル格納部２０２ｃに登録済の撮影プロトコルの特性情報を関連付けに基づいて更新する（Ｓ２００３）。
【０１１３】
具体的には、ステップＳ２００２において、読込制御部２０２ｅは、特性情報（例えば、撮影台情報３０３）を置き換えた撮影プロトコルが、読込用の放射線撮影装置１０２のプロトコル格納部２０２ｃに既に登録されているかどうかを判定する。読込制御部２０２ｅは、撮影プロトコルに含まれる特性情報に基づいて、撮影プロトコルがプロトコル格納部２０２ｃに登録済であるか判定する。例えば、処理対象の撮影プロトコルのプロトコル名３０２ａと特性情報における撮影台情報３０３との組み合わせが一致する撮影プロトコルが読込用の放射線撮影装置１０２のプロトコル格納部２０２ｃに存在するかどうかで判定することができる。
【０１１４】
ステップＳ２００２の判定で、特性情報（例えば、撮影台情報３０３）を置き換えた撮影プロトコルが、読込用の放射線撮影装置１０２のプロトコル格納部２０２ｃに既に登録されている場合（Ｓ２００２−Ｙｅｓ）、処理はステップＳ２００３に進められる。そして、ステップＳ２００３において、読込制御部２０２ｅは、登録済の撮影プロトコルの特性情報を、処理対象の撮影プロトコルの特性情報で更新する。
【０１１５】
一方、ステップＳ２００２の判定で、読込制御部２０２ｅは、関連付け部により特性情報が関連付けられた撮影プロトコルがプロトコル格納部２０２ｃに格納されていない場合、特性情報が関連付けられた撮影プロトコルをプロトコル格納部２０２ｃに追加する。具体的には、特性情報（例えば、撮影台情報３０３）を置き換えた撮影プロトコルが、読込用の放射線撮影装置１０２のプロトコル格納部２０２ｃに登録されていない場合（Ｓ２００２−Ｎｏ）、処理はステップＳ２００４に進められる。そして、ステップＳ２００４において、読込制御部２０２ｅは、特性情報を置き換えた処理対象の撮影プロトコルを読込用の放射線撮影装置１０２のプロトコル格納部２０２ｃに追加する。
【０１１６】
ステップＳ２００５において、読込制御部２０２ｅは、ステップＳ２００１乃至Ｓ２００４の撮影プロトコル反映処理を、同期用のプロトコル情報群に含まれる全ての撮影プロトコルに対して繰り返し行う。そして、同期用のプロトコル情報群に含まれる全ての撮影プロトコルに関する反映処理が完了することにより、本処理は終了となる。
【０１１７】
本実施形態によれば、読込用の放射線撮影装置１０２（自装置）に独自に追加されて既に登録されている撮影プロトコルを、削除せずに保持しつつ、自装置で登録されている撮影プロトコル以外の撮影プロトコルを新たに追加登録することが可能になる。すなわち、放射線撮影装置１０２（自装置）に独自に追加、登録されている撮影プロトコルを削除対象から除き、保持することによって独自の撮影プロトコルは保持しつつ、出力用の放射線撮影装置１０１と読込用の放射線撮影装置１０２との間で共通する撮影プロトコルの特性情報は同期用のプロトコル情報群の特性情報で追加登録（更新）することが可能となり、読込用の放射線撮影装置１０２に与える影響を軽減することが可能になる。
【０１１８】
[実施形態７]
本実施形態では、先に説明した実施形態６において、出力用の放射線撮影装置１０１から撮影プロトコルを読み込む際に、読込用の放射線撮影装置１０２（自装置）において追加登録（更新）する特性情報をフィルタリングする構成について説明する。
【０１１９】
本実施形態では、表示部２０２ａおよび制御部２０２ｂおよび操作部２０２ｆは、更新する撮影プロトコルの特性情報を選択（フィルタリング）する更新選択部として機能する。読込制御部２０２ｅは、更新選択部により選択された特性情報に基づいて、特性情報の更新を行う。
【０１２０】
図２１は、実施形態６において、読込用の放射線撮影装置１０２（自装置）において追加登録（更新）する特性情報をフィルタリングする処理の流れを説明するフローチャートである。
【０１２１】
ステップＳ２１０１において、撮影プロトコルの反映が開始されると、読込制御部２０２ｅは、出力用の放射線撮影装置１０１から取得した撮影プロトコルに基づいて、処理対象の撮影プロトコルの特性情報（例えば、撮影台情報３０３）を、図５のステップＳ５０３で指定された関連付けに基づき置き換える。これにより、処理対象の撮影プロトコルが読込用の放射線撮影装置１０２で撮影可能となる。
【０１２２】
ステップＳ２１０２において、読込制御部２０２ｅは、特性情報（例えば、撮影台情報３０３）を置き換えた撮影プロトコルが、読込用の放射線撮影装置１０２のプロトコル格納部２０２ｃに既に登録されているかどうかを判定する。登録済かどうかの判定は、撮影プロトコルに含まれる特性情報に基づいて判定することが可能である。例えば、処理対象の撮影プロトコルのプロトコル名３０２ａと特性情報における撮影台情報３０３との組み合わせが一致する撮影プロトコルが読込用の放射線撮影装置１０２のプロトコル格納部２０２ｃに存在するかどうかで判定することができる。
【０１２３】
ステップＳ２１０２の判定で、特性情報（例えば、撮影台情報３０３）を置き換えた撮影プロトコルが、読込用の放射線撮影装置１０２のプロトコル格納部２０２ｃに既に登録されている場合（Ｓ２１０２−Ｙｅｓ）、処理はステップＳ２１０３に進められる。
【０１２４】
そして、ステップＳ２１０３において、読込制御部２０２ｅは、更新選択部により選択された特性情報に基づいて、特性情報の更新を行う。例えば、読込制御部２０２ｅは、撮影プロトコルに含まれる複数の特性情報のうち共有設定画面（ＧＵＩ）により一部の特性情報が選択された場合、一部の特性情報に基づいて更新を行う。また、読込制御部２０２ｅは、更新選択部により選択されていない特性情報については更新を行わず、プロトコル格納部２０２ｃに登録済の撮影プロトコルの特性情報を保持する。読込制御部２０２ｅは、撮影プロトコル３０１が有する特性情報３７０（撮影部位情報３０２、撮影台情報３０３、画像処理情報３０４、撮影条件情報３０５、特定情報３０６）のうち特定情報３０６を除外した撮影プロトコルに基づいた登録（更新）を行う。特定情報はＲＩＳから撮影プロトコルを特定するための情報であり、放射線撮影システムでユニークである必要があるため、同様の内容の特定情報の併存を防止するため、読込制御部２０２ｅは、特定情報３０６を除いた登録（更新）処理を行う。読込制御部２０２ｅによる登録（更新）処理により、ＲＩＳからの撮影プロトコルの指定を明確にすることができる。
【０１２５】
一方、ステップＳ２１０２の判定で、特性情報（例えば、撮影台情報３０３）を置き換えた撮影プロトコルが、読込用の放射線撮影装置１０２のプロトコル格納部２０２ｃに登録されていない場合（Ｓ２１０２−Ｎｏ）、処理はステップＳ２１０４に進められる。
【０１２６】
そして、ステップＳ２１０４において、読込制御部２０２ｅは、特性情報を置き換えた処理対象の撮影プロトコルを読込用の放射線撮影装置１０２のプロトコル格納部２０２ｃに追加する。
【０１２７】
ステップＳ２１０５において、読込制御部２０２ｅは、ステップＳ２１０１乃至Ｓ２１０４の撮影プロトコル反映処理を、同期用のプロトコル情報群に含まれる全ての撮影プロトコルに対して繰り返し行う。そして、同期用のプロトコル情報群に含まれる全ての撮影プロトコルに関する反映処理が完了することにより、本処理は終了となる。
【０１２８】
なお、同期用のプロトコル情報群における撮影プロトコルの特性情報をフィルタリングする処理は、図２１で説明した特定情報３０６に限定されるものではなく、フィルタリング（除外）する特性情報３７０をユーザーがＧＵＩを用いて設定してもよい。
【０１２９】
更新選択部（表示部２０２ａ、制御部２０２ｂおよび操作部２０２ｆ）は、更新する撮影プロトコルの特性情報を選択するための共有設定画面（ＧＵＩ）を表示部２０２ａに表示させる表示制御を行う。
【０１３０】
更新選択部（表示部２０２ａ、制御部２０２ｂおよび操作部２０２ｆ）は、共有設定画面（ＧＵＩ）において、撮影プロトコルをプロトコル格納部２０２ｃに格納する読込方式（格納方式）として、上書き方式または併合方式を選択する読込方式設定部を表示部２０２ａに表示させる。
【０１３１】
図２２は、共有する特性情報の設定を行うための共有設定画面２２００（ＧＵＩ）の一例を示す図である。制御部２０２ｂの表示制御により、共有設定画面２２００が表示される。共有設定画面２２００は、共有場所設定部２２０１と、出力有効設定部２２０２と、読込方式設定部２２０３と、特性情報設定部２２０４とを有する。
【０１３２】
共有場所設定部２２０１は、操作部２０２ｆからの入力に基づいて、共有する情報を格納する場所、すなわち、同期用のプロトコル情報群の格納場所（共有場所）を指定する。出力用の放射線撮影装置１０１から同期用のプロトコル情報群を出力する場所と、読込用の放射線撮影装置１０２から同期用のプロトコル情報群を読み込む場所が同一である必要があるため、すべての放射線撮影装置で本設定は同一箇所を示す設定となる。
【０１３３】
出力有効設定部２２０２は、操作部２０２ｆからの入力に基づいて、本設定がされている放射線撮影装置を出力用の放射線撮影装置として設定する。病院内のすべての放射線撮影装置から情報を出力可能とした場合、読込用の放射線撮影装置では、読み込む同期用のプロトコル情報群がどの放射線撮影装置から出力されたか特定することができなくなるため、制御部２０２ｂは、本設定がされている放射線撮影装置を出力用の放射線撮影装置１０１として設定する。一方、本設定がされていない放射線撮影装置は、読込用の放射線撮影装置として機能する。
【０１３４】
読込方式設定部２２０３は、上書き方式２２０３ａと、併合方式２２０３ｂとのいずれかを選択的に設定することが可能である。上書き方式２２０３ａは、実施形態１〜実施形態５で説明した読込用の放射線撮影装置１０２に独自に登録されている撮影プロトコルを削除し、同期用のプロトコル情報群の撮影プロトコルで置き換える読込方式である。操作部２０２ｆからの入力に基づいて、上書き方式２２０３ａが選択された場合、読込制御部２０２ｅは、プロトコル格納部２０２ｃに格納されている全ての撮影プロトコルを削除して、特性情報を関連付けた撮影プロトコルをプロトコル格納部２０２ｃに格納する。
【０１３５】
併合方式２２０３ｂは、実施形態６〜実施形態７で説明した読込用の放射線撮影装置１０２に独自に登録されている撮影プロトコルを保持しつつ、同期用のプロトコル情報群と共通の撮影プロトコルを更新し、読込用の放射線撮影装置１０２に登録されていない撮影プロトコルを追加登録する読込方式である。操作部２０２ｆからの入力に基づいて、併合方式２２０３ｂが選択された場合、読込制御部２０２ｅは、プロトコル格納部２０２ｃに格納されている登録済の撮影プロトコルを保持し、撮影プロトコルの特性情報を更新し、または、撮影プロトコルを追加する。更新選択部（表示部２０２ａ、制御部２０２ｂおよび操作部２０２ｆ）は、併合方式が選択された場合、撮影プロトコルに含まれる特性情報３７０のうち、撮影プロトコルを外部機器１０４から特定するための情報を含む特定情報３０６を、更新の対象から除外する。
【０１３６】
特性情報設定部２２０４は、読込方式の設定が併合方式２２０３ｂの場合に、同期用のプロトコル情報群と読込用の放射線撮影装置１０２（自装置）に既に登録されているプロトコル情報群とのどちらの特性情報を優先して登録するかを設定する。図２２の例では、特性情報を選択する選択部にチェックがされると、オン設定になり、処理対象の特性情報が選択される。読込制御部２０２ｅは、特性情報設定部２２０４にチェックがされている特性情報について、同期用のプロトコル情報群の特性情報を優先して登録するように制御する。すなわち、読込制御部２０２ｅは、同期用のプロトコル情報群の特性情報を用いて読込用の放射線撮影装置１０２に登録されている撮影プロトコルを更新する。
【０１３７】
具体的には、撮影部位情報２２０４ａ、画像処理情報２２０４ｂ、撮影条件情報２２０４ｃは、同期用のプロトコル情報群の撮影プロトコルの特性情報に基づいて更新される。特定情報２２０４については、選択部にチェックがされていない、オフ設定のため、同期用のプロトコル情報群の撮影プロトコルに含まれている特性情報に基づいて更新されず、特定情報２２０４ｄは、読込用の放射線撮影装置１０２に登録されている特定情報が保持される。
【０１３８】
特性情報設定部２２０４（読込パラメータ）の設定後に、共有設定反映ボタン２２０５（ＯＫ）の押下によって、共有設定画面２２００で設定された内容が放射線撮影装置に格納される。また、共有設定破棄ボタン２２０６（Ｃａｎｃｅｌ）の押下によって、共有設定画面２２００で設定された内容が破棄される。
【０１３９】
本実施形態によれば、読込用の放射線撮影装置１０２（自装置）に反映する特性情報を限定するによって、出力用の放射線撮影装置１０１と読込用の放射線撮影装置１０２との間で撮影プロトコルを共有しつつ、読込用の放射線撮影装置１０２（自装置）に独自に登録されている撮影プロトコルを保持することが可能となる。放射線撮影装置ごとに撮影プロトコルの共有に関して設定を行うことで、放射線撮影装置ごとに適した方式で撮影プロトコルの共有を行うことが可能になる。
【０１４０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４１】
１００：放射線撮影システム、１０１、１０２：放射線撮影装置
１０３：ネットワーク、１０４：外部機器、２０１  撮影実施部、
２０１：撮影実施部、２０１ａ：放射線発生装置、２０１ｂ：撮影台、
２０２  撮影制御部、２０２ａ  表示部、２０２ｂ：制御部、
２０２ｃ：プロトコル格納部、２０２ｄ  プロトコル出力部、
２０２ｅ：読込制御部、２０２ｆ：操作部、２０３：データ格納部、
３００：プロトコル情報群、３０１：撮影プロトコル、
３０２：撮影部位情報、３０３：撮影台情報、３０４：画像処理情報、
３０５：撮影条件情報、３０６：特定情報、３０７：特性情報
【図１】
2019097677.tif 000003
【図２】
2019097677.tif 000004
【図３】
2019097677.tif 000005
【図４】
2019097677.tif 000006
【図５】
2019097677.tif 000007
【図６】
2019097677.tif 000008
【図７】
2019097677.tif 000009
【図８】
2019097677.tif 000010
【図９】
2019097677.tif 000011
【図１０】
2019097677.tif 000012
【図１１】
2019097677.tif 000013
【図１２】
2019097677.tif 000014
【図１３】
2019097677.tif 000015
【図１４】
2019097677.tif 000016
【図１５】
2019097677.tif 000017
【図１６】
2019097677.tif 000018
【図１７】
2019097677.tif 000019
【図１８】
2019097677.tif 000020
【図１９】
2019097677.tif 000021
【図２０】
2019097677.tif 000022
【図２１】
2019097677.tif 000023
【図２２】
2019097677.tif 000024